(57)【要約】【課題】商品の在庫数量の信頼性を向上させることができる棚卸システムを提供することである。【解決手段】収納棚２０には、種類の異なる商品Ａ、Ｂ、Ｃごとに対応つけられた２次元バーコードが付与されており、その２次元バーコードを携帯端末装置１０に読み込ませると、携帯端末装置１０は、読み込ませた２次元バーコードに対応つけられた商品の棚卸数量を入力可能な棚卸数量入力画面を受信するための依頼情報を管理装置に送信し、管理装置１３は、この携帯端末装置１０から受信した依頼情報に基づいて棚卸数量入力画面を携帯端末装置１０に送信し、携帯端末装置１０は、この管理装置１３から受信した棚卸数量入力画面から棚卸数量の入力を受け付けると、その受け付けた棚卸数量を管理装置１３に送信し、管理装置１３は、この携帯端末装置１０から受信した棚卸数量を種類の異なる商品ごとに対応づけて記憶部に記憶させる。【選択図】図１
2008247497.tif 000002
【特許請求の範囲】
【請求項１】
２次元バーコードを読み込み可能な携帯端末装置と、その携帯端末装置と通信回線網を介して接続された管理装置とによって収納棚に保管された商品の棚卸を行う棚卸システムであって、
収納棚には、種類の異なる商品ごとに対応つけられた２次元バーコードが付与されており、
その２次元バーコードを携帯端末装置に読み込ませると、
携帯端末装置は、読み込ませた２次元バーコードに対応つけられた商品の棚卸数量を入力可能な棚卸数量入力画面を受信するための依頼情報を管理装置に送信し、
管理装置は、この携帯端末装置から受信した依頼情報に基づいて棚卸数量入力画面を携帯端末装置に送信し、
携帯端末装置は、この管理装置から受信した棚卸数量入力画面から棚卸数量の入力を受け付けると、その受け付けた棚卸数量を管理装置に送信し、
管理装置は、この携帯端末装置から受信した棚卸数量を種類の異なる商品ごとに対応づけて記憶部に記憶させる棚卸システム。
【発明の詳細な説明】
【技術分野】
【０００１】
本発明は、棚卸システムに関し、詳しくは、収納棚に保管された商品の棚卸を行う棚卸システムに関する。
【背景技術】
【０００２】
従来より、商品の在庫数を把握する方法として、定期的に、棚卸担当者が収納棚に保管された商品の在庫数を数えること（所謂、棚卸作業）が知られている。この方法では、まず、棚卸担当者によって在庫数を把握したい商品の名称（商品の名称ではなく、商品の識別番号等でもよい）が伝票に記入される。もちろん、予め、伝票に在庫数を把握したい商品の名称を記入しておいても良い。その後、同担当者によって該当する商品の在庫数量が数えられ伝票に記入される。最後に、同担当者によって記入された伝票に基づいて該当する商品の在庫数量がコンピュータに入力され、入力された在庫数量がコンピュータ内の在庫台帳に記憶される（更新される）。
【０００３】
なお、この出願の発明に関連する先行技術文献情報としては、例えば、特許文献１が知られている。
【特許文献１】特開２００２−２８４３０９号公報
【発明の開示】
【発明が解決しようとする課題】
【０００４】
しかしながら、上述した在庫数の把握方法では、棚卸担当者によって記入された伝票に基づいて該当する商品の在庫数量がコンピュータに入力されるため、その入力作業に誤りが生じると、誤った在庫数量がコンピュータ内の在庫台帳に記憶されることになっていた。そのため、信頼性の欠ける在庫台帳となることがあった。
【０００５】
本発明は、このような課題を解決しようとするもので、その目的は、商品の在庫数量の信頼性を向上させることができる棚卸システムを提供することである。
【課題を解決するための手段】
【０００６】
本発明は、上記の目的を達成するためのものであって、以下のように構成されている。
請求項１に記載の発明は、２次元バーコードを読み込み可能な携帯端末装置と、その携帯端末装置と通信回線網を介して接続された管理装置とによって収納棚に保管された商品の棚卸を行う棚卸システムであって、収納棚には、種類の異なる商品ごとに対応つけられた２次元バーコードが付与されており、２次元バーコードを携帯端末装置に読み込ませると、携帯端末装置は、読み込ませた２次元バーコードに対応つけられた商品の棚卸数量を入力可能な棚卸数量入力画面を受信するための依頼情報を管理装置に送信し、管理装置は、この携帯端末装置から受信した依頼情報に基づいて棚卸数量入力画面を携帯端末装置に送信し、携帯端末装置は、この管理装置から受信した棚卸数量入力画面から棚卸数量の入力を受け付けると、その受け付けた棚卸数量を管理装置に送信し、
管理装置は、この携帯端末装置から受信した棚卸数量を種類の異なる商品ごとに対応づけて記憶部に記憶させる構成である。
この構成によれば、棚卸担当者が注意して行わなければいけない作業が１度で済むため、棚卸担当者の人為的なミスが低減することとなり、信頼性のある在庫台帳を作成することができる。
【発明を実施するための最良の形態】
【０００７】
以下、本発明を実施するための最良の形態を、図１を用いて説明する。図１は、本発明の棚卸システムを示す全体構成図である。
【０００８】
１０は、携帯端末装置であり、例えば、汎用の携帯電話もしくはＰＨＳ（Ｐｅｒｓｏｎａｉ  ｈａｎｄｙｐｈｏｎｅｓ  Ｓｙｓｔｅｍ）である。この携帯端末装置１０は、通常の通話機能、メール機能、およびインターネットへのアクセス機能を備えている。また、この携帯端末装置１０は、通常のカメラ機能を備えており、このカメラ機能によって２次元バーコードを読み込み可能となっている。
【０００９】
１１は、中継局である。この中継局１１と携帯端末装置１０は、無線状態で通信可能である。１２は、通信回線網であり、例えば、電話回線網である。１３は管理装置である。この管理装置１３は、例えば、汎用のパーソナルコンピュータであり、本発明に係る棚卸システムに関するソフトウェアーが記憶されており、このソフトウェアーによって携帯端末装置１０からのアクセスに応じて所望する動作が実行されている。なお、これら中継局１１と管理装置１３とは、通信回線網１２とそれぞれ有線状態で接続されている。
【００１０】
２０は、例えば、図示しない倉庫内に配置された収納棚である。この収納棚２０は、上段２１、中段２２、下段２３の３段構成となっており、これら各段２１、２２、２３には、収納される商品に対応付けられたプレートと、同じく収納される商品に対応付けられた２次元バーコードが貼り付けられている。
【００１１】
この２次元バーコードは、株式会社デンソーが開発したマトリックス方式の２次元コードであり、例えば、ＵＲＬを符号化したＱＲ（Ｑｕｉｃｋ  Ｒｅｓｐｏｎｓｅ）コードである。なお、図１に示す例では、上段２１には、商品Ａが３ケ収納され、中段２２には、商品Ｂが１ケ収納され、下段２３には、商品Ｃが２ケ収納されている例である。
【００１２】
続いて、上述した収納棚２０に収納されている各商品Ａ、Ｂ、Ｃの棚卸作業の手順を説明する。なお、棚卸作業の順番として、商品Ａ、Ｂ、Ｃの順に棚卸する場合を説明する。棚卸担当者は、収納棚２０の前に行くと、携帯端末装置１０の入力キーを操作して、携帯端末装置１０のカメラ機能を動作させる。
【００１３】
棚卸担当者は、動作させたカメラ機能を利用して、商品Ａの２次元バーコードを携帯端末装置１０に読み込ませる。すると、携帯端末装置１０は、管理装置１３と通信可能となり、商品Ａの棚卸数量を入力可能な棚卸数量入力画面を受信するための依頼情報を管理装置１３に送信する。
【００１４】
管理装置１３は、この携帯端末装置１０から受信した依頼情報に基づいて、商品Ａに関する棚卸数量入力画面を携帯端末装置１０に送信する。棚卸担当者は、携帯端末装置１０の入力キーを操作して、商品Ａの在庫数を入力する。この場合、棚卸担当者は、棚卸数量として「３」を入力する。すると、携帯端末装置１０は、入力された棚卸数量を管理装置１３に送信する。
【００１５】
管理装置１３は、この携帯端末装置１０から受信した棚卸数量（この場合、「３」）を商品Ａに対応づけて記憶部（例えば、自身のＨＤＤ）に記憶させる。以下、商品Ａと同様にして、棚卸担当者は、商品Ｂについて、商品Ｃについて棚卸を行う。これにより、管理装置１３の記憶部には、各商品Ａ、Ｂ、Ｃの在庫数「３」、「１」、「２」が記憶される。
【００１６】
上述したように棚卸作業が行われると、棚卸担当者は、携帯端末装置１０によって各商品Ａ、Ｂ、Ｃの在庫数量の入力作業を誤ることなく行えば、誤った在庫数量がコンピュータ内の在庫台帳に記憶されることがない。そのため、この入力作業に対してのみ、棚卸担当者は注意して作業すればよい。
【００１７】
これに対して、従来技術であれば、既に説明したように、棚卸担当者は、伝票への各商品Ａ、Ｂ、Ｃの在庫数量の記入作業と、この記入された伝票に基づいた各商品Ａ、Ｂ、Ｃの在庫数量のコンピュータへの入力作業を誤ることなく行わなければならなかった。そのため、これら記入作業と入力作業の２度の作業に対して、棚卸担当者は注意して作業しなければならなかった。
【００１８】
このように、本発明によれば、棚卸担当者が注意して行わなければいけない作業が１度で済むため、棚卸担当者の人為的なミスが低減することとなり、信頼性のある在庫台帳を作成することができる。
【００１９】
また、在庫数量の入力手段である携帯端末装置１０は、既に説明したように、汎用の携帯電話もしくはＰＨＳを利用できるため、棚卸担当者が所持している携帯電話を流用して本発明を実施できる。したがって、本発明を実施するために、新たに入力手段を準備する必要がなく低コストで実施できる。もちろん、棚卸担当者が携帯電話を所持していない場合、携帯電話もしくはＰＨＳを準備する必要がある。ただ、出願時点において、人口に対する携帯電話もしくはＰＨＳの所持率はかなり高いものである。
【００２０】
上述した内容は、あくまでも本発明の一実施の形態に関するものであって、本発明が上記内容に限定されることを意味するものではない。
実施例では、中継局１１と管理装置１３とは、通信回線網１２とそれぞれ有線状態で接続されている場合を説明した。しかし、これに限定されるものでなく、中継局１１と管理装置１３とは、通信回線網１２とそれぞれ無線状態で接続されていても構わない。
また、実施例では、通信回線網１２が電話回線網である例を説明した。しかし、これに限定されるものでなく、社内ＬＡＮ等の回線網であっても構わない。
【図面の簡単な説明】
【００２１】
【図１】図１は、本発明の棚卸システムを示す全体構成図である。
【符号の説明】
【００２２】
１０    携帯端末装置
１２    通信回線網
１３    管理装置
２０    収納棚
Ａ、Ｂ、Ｃ    商品
【図１】
2008247497.tif 000003